(57)【要約】  手持ち動力工具（１０）はハウジングと、取付部材（３０）と、取付部材（３０）から取り外し可能な物体センサ（６０）と、を備える。取付部材（３０）は工具（１０）から取り外し可能である。壁に隠されたスタッド、電線、その他の材料を検知するのに使用されることができる物体センサ（６０）は、職人に利用し易くされている。
2005509535.tif 000002
【特許請求の範囲】
【請求項１】
ａ．駆動機構と、モータと、ハンドル軸に沿って整列され且つ動力起動スイッチを有するハンドル部と、動力供給端と、を含むハウジングと、
ｂ．前記動力供給端近傍に位置付けられた取付部材に取り外し可能に取り付けられた物体センサと、
を含む携帯型動力工具。
【請求項２】
前記取付部材は前記ハウジングの足部の一部として一体的に形成されている請求項１に記載の携帯型工具。
【請求項３】
前記取付部材は前記ハウジングの足部から取り外し可能である請求項１に記載の携帯型工具。
【請求項４】
前記取付部材は摺動的に前記物体センサを収容するための溝部を含む請求項２あるいは３に記載の携帯型工具。
【請求項５】
前記物体センサは単一の方向からのみ摺動的に収容可能である請求項４に記載の携帯型工具。
【請求項６】
前記取付部材は前記物体センサの一部を磁気的に収容するための磁性部を有する請求項２あるいは３に記載の携帯型工具。
【請求項７】
前記取付部材はさらにトレイを含む請求項２あるいは３に記載の携帯型工具。
【請求項８】
前記取付部材は前記物体センサを取り外し可能に収容するための連結部材をさらに含む請求項３に記載の携帯型工具。
【請求項９】
前記連結部材は前記物体センサを収容するための一対のアームを含む請求項８に記載の携帯型工具。
【請求項１０】
前記取付部材に取り外し可能に収容される取付板をさらに含み、前記物体センサは該取付板に取り外し可能に取り付けられる請求項２あるいは３に記載の携帯型工具。
【請求項１１】
前記取付部材はさらにバッテリパックを含む請求項３に記載の携帯型工具。
【請求項１２】
前記物体センサはバッテリパックと一体に形成されている請求項１１に記載の携帯型工具。
【請求項１３】
前記物体センサは前記バッテリパックから延出可能なセンサ板を含む請求項１２に記載の携帯型工具。
【請求項１４】
前記物体センサは前記バッテリパックから取り外し可能である請求項１１に記載の携帯型工具。
【請求項１５】
前記バッテリパックは前記物体センサを摺動的に収容するためのスロットを含む請求項１４に記載の携帯型工具。
【発明の詳細な説明】
【技術分野】
【０００１】
本出願は米国特許第６，３６４，５８０号の一部継続出願である２００１年１１月１６日に出願された「取り外し自在に取り付け可能な物体センサを含む手持ち工具」と題する米国特許出願第０９／９９３，１７７号の優先権を主張する一部継続出願であり、それぞれの出願の内容全体を参照として引用する。
【０００２】
本願発明は工具に取り外し自在に取り付け可能な物体センサを有する手持ちの電動あるいは空圧工具に係る。
【背景技術】
【０００３】
電気（コード付き（交流）又はバッテリパック（直流））あるいは圧縮空気によって駆動されるドリル、レシプロソー、スクリュドライバー、及び、ネイラー（釘打機）のような手持ち工具は電気技師、配管工、大工、その他に広く使用されている。このような装置の一般的な仕事は、概ね、孔を穿けたり、スクリュ（螺子）のようなファスナ（締結具）を締め付けたり、種々の材料を切断することである。このような仕事の中には手持ちドリルとは別個に収納されることの多いドリルビットやツールビットの使用を必要とするものもある。
【０００４】
建築職人はしばしばネイル（釘）やスクリュをしっかりと保持するための可視的な壁の背後に隠されているスタッド（間柱）のような適当な支持構造を見つけ出さなければならないという仕事に直面する。スタッドの位置を探し出すための多様なスタッドセンサが開発されてきた。これらのセンサは職人が穿孔したり切断することを回避したい導管、排気孔、鉄筋、配管、その他の隠された物体の位置を探し出すことにも用いられ得る。さらに重要なこととして、建築職人は「生の」電線の近くで穿孔や切断作業をしなければならない。種々のセンサが電線、特に、「生の」電線を位置を探すために開発されてきた。さらに、職人が壁の背後に隠された異なる種類の物体を探し出し識別するのに役立つ他の種類のセンサも開発されてきた。総じて、これらのセンサは物体センサと定義付けられる。
【０００５】
そのような物体センサは極めて効果的ではあるものの、１つの問題は、職人がそれらを必要とするときに、紛失したりあるいは単に所持していないことのある別体の備品であることである。先行技術の解決策は作業者の腰に巻き付けることのできる携帯小物入れのようなものを提供することであった。これらの小物入れによって作業者が物体センサを持って来るために作業場を離れる必要はなくなるが、作業者は先ず始めにポケットに物体センサを入れ、次に物体センサを見つけるために多くのポケットを捜さなければならない。従って、大幅な時間の節約は達成されない。
【０００６】
１つの解決案が米国特許第５，２６２，２４０号に開示されており、本体に取り付けられた物体センサを有するネイルガン（ネイラー）が開示されている。この装置の１つの欠点は物体センサがネイルガンから取り外し可能ではなく、従って、ネイルガンと別個に使用するのが容易ではないことである。さらに、センサは工具にクランプによって取り付けられており、クランプ、よって、センサを緩めたり取り外したりするのに別の工具が必要となる。
【０００７】
他の解決案が米国特許出願公開第２００１／００５３３１３Ａ１号に開示されており、ドリルハウジングの頂部に取り付けられ、ドリルを操作するときのハンドレスト（手休め）を提供するように成形された表面下物体探査装置が開示されている。しかしながら、開示されている装置は特別のドリルハウジングを必要とし、また、装置のコスト及び複雑さを増大する幾つかの協働する部品を必要とする。
【０００８】
従って、簡単に製造することができ且つ工具と別個に使用することのできる取り外し可能に取り付けられた物体センサを備えた手持ち動力（交流及び／又は直流）あるいは空圧工具が必要とされている。
【０００９】
（発明の開示）
従って、本願発明は取り外し可能な物体センサを有する手持ち動力（交流及び／又は直流）あるいは空圧工具を提供する。物体センサはツールハウジングの一部として形成された取付部材に取り付けられるか、あるいは、アクセサリトレイあるいはバッテリパックのような取り外し可能な取付部材に取り付けられる。
【００１０】
本願発明の一実施例によれば、手持ち動力工具はハウジングを備える。ハウジングはツール軸に沿って整列された回転出力軸に連結された駆動機構を含む。さらに、ハンドル部分がハンドル軸に沿って整列されている。ハンドル部分は駆動機構を起動するための動力起動スイッチを有する。１つの実施例では、物体センサはハウジングの一部として形成された取付部材に取り外し可能に取り付けられる。他の実施例では、物体センサはハウジングに取り外し可能に取り付けられている取付部材に取り外し可能に取り付けられる。工具は電気（交流及び／又は直流）あるいは圧縮空気によって駆動される。
【００１１】
他の実施例では、工具は取付部材を含む手持ちドリルであって、取付部材はバッテリパックである。物体センサはバッテリパックの一部あるいは一体として形成されてもよく、あるいは、バッテリパックに取り外し可能に取り付けられてもよい。取り外し可能の取付部材はさらにレベルを含んでもよい。
【００１２】
他の実施例では、手持ち工具は駆動機構及びハウジングを有するレシプロソーである。物体センサを含む取り外し可能な取付部材はハウジングに取り外し可能に取り付けられる。レシプロソーは電気（交流及び／又は直流）あるいは圧縮空気によって駆動される。
【００１３】
上記の目的、及び、その他の目的、特徴、及び、利点は、添付の図面を参照しながら、以下の詳細な説明によって容易に明らかである。
【発明を実施するための最良の形態】
【００１４】
図１を参照すると、電動の手持ち動力ドリル１０が示されている。動力ドリル１０は回転出力軸１６を駆動するための駆動機構及びモータ１４を収容するハウジング１２を備える。駆動機構、モータ、及び、回転出力軸はツール軸１８に沿って一列に並んでいる。ハウジング１２はさらに動力工具を把持し、工具端部２１をワークピースの方向に向けるためのハンドル部２０を含む。ハンドル部はハンドル軸２２に沿って位置合わせされる。
【００１５】
作業時には、ワークピース上での作業のために、ツールビット、ドリルビット、あるいは、それに類似する装置などの工具が回転出力軸１６に取り付けられる。通常知られているように、工具はチャック２９を用いて回転出力軸に取り外し可能に連結される。チャックは、開閉するために鍵なしであっても、あるいは、鍵（図示せず）付きであってもよい。工具及び手持ち動力ドリルの組み合わせによって実行される一般的な仕事は、例えば、穿孔したり、ファスナをワークピース上あるいはワークピース中に打ち込むことである。
【００１６】
駆動機構及びモータを起動して回転出力軸を回転するために、動力起動スイッチ２４がハンドル部に設けられている。好ましくは、バッテリ２６が動力供給端２８においてハンドル部に連結され、回転出力軸を回転するために駆動機構及びモータを起動するための直流電力を提供する。しかしながら、本願発明は交流電力を供給するコード付き動力ドリル（図示せず）にも取り入れることができる。本願において用いられる電気という用語は交流あるいは直流電力による電力を意味するものとする。加えて、本願発明は（図９に示されるような）圧縮空気で駆動される動力工具にも取り入れることができる。圧縮空気駆動動力工具のための駆動機構及び動力起動スイッチは当業者によって知られているタイプのものである。
【００１７】
図１及び図２に示される本願発明の１つの実施形態によれば、取り外し可能な取付部材３０がドリルに取り付けられている。取り外し可能な取付部材のさらなる記述は以下の通りである。取り外し可能な取付部材は後部からハウジング１２に摺着される。ハウジングは溝部７６を構成する外向きに突出したフランジ７２を含む。取り外し可能な取付部材は溝部３６を構成する内向きに突出したフランジ３４を含む。取り外し可能な取付部材がハウジングに摺着すると、図２に示されるように、フランジ３４及び７２は溝部３６及び７６と協働して取り外し可能な取付部材をハウジング１２に固定する。
【００１８】
代替的に、図３に示されるように、取り外し可能な取付部材はハウジングから上向きに延出する一対の突起部５４及び５６を用いてドリルに取り付けられ得る。取り外し可能な取付部材の底部に形成された一対の凹部５８及び５９は突起部５４及び５６を収容する大きさとされ、取り外し可能な取付部材をハウジングに取り外し可能に取り付ける。逆に、取り外し可能な取付部材が突起部を含み、ハウジングが突起部を収容する凹部を含んでもよい。当業者に知られている、取り外し可能な取付部材がハウジングに取り外し可能に取り付けられることを可能にする他の取り付け方法が用いられてもよい。
【００１９】
図４及び図５に例示された他の実施形態においては、取り外し可能な取付部材はハンドル部の動力供給端２８に配設されている。動力供給端は取付部材３０をハウジングに取り外し可能に取り付けるよう構成された一対のスロット４４を有する。取り外し可能な取付部材は、取り外し可能な取り付けのためにスロット４４に適合するように形成された底部４５を有する。
【００２０】
図２及び図５に最もよく示されるように、取り外し可能な取付部材は、例えば、乾式壁体（ドライウォール）によって見えないように隠されている間柱（スタッド）、電線、導管、配管、種々の金属、鉄筋、及び、他の材料のような物体を検知するための物体センサ６０を含む。物体センサ６０は一般的に入手可能なものである。物体センサ６０は、図７に示されるように、物体センサが例えばスタッドの上に載せられたときに照明する少なくとも１つの可視光源６２を含んでもよい。さらに、物体センサは、例えば、スタッドあるいは「生の」電線が検知されたときに音声を出すスピーカ６４を含んでもよい。物体センサの機能に応じて、計器（メータ）のような他の機能も含まれ得る。
【００２１】
取り外し可能な取付部材は水平器（レベル）５２と共に構成されてもよい。取り外し可能な取付部材はツールビット４０を収容するための凹部３８を備えてもよく、ビットは２つの対向する弾性突起部４２によって形成された戻り止め（デテント）によって凹部に捕捉されてもよい。好ましくは、同一の溝部３８が他のツールビット４０をしっかりと保持するために弾性突起部４２によって形成された戻り止めを有する取り外し可能な取付部材の対向する側部に配設される。
【００２２】
操作時、本願発明のドリルは普通のドリルとして使用される。職人が表面の向きを検知しなければならないとき、彼は取り外し可能な取付部材をドリルから取り外し、図６に示されるように、それを表面７０の上に載せる。スタッドあるいは他の隠された材料を探し出すために、取り外し可能な取付部材はドリルから取り外され、図７に示されるように、スタッド７５が探し出されるまで表面８０に沿って移動される。
【００２３】
加えて、図８に示されるように、ツール軸が垂直であるときを示すよう、ブルスアイ気泡水平器（目玉レベル）７８がハウジングの後端においてツール軸に本質的に直交する平面内に配設される。
【００２４】
本願発明は（図９に示されるような）レシプロソー、ネイラー、動力スクリュドライバ、丸鋸、あるいは、糸鋸（ジグソー）のような他の手持ち動力工具に組み入れられてもよい。工具は（コード付きの（交流）あるいはバッテリ駆動の（直流））電力、圧縮空気、あるいは、他の手段によって駆動される。
【００２５】
図９を参照すると、レシプロソー１００はハウジング１１２及び駆動機構１１４を有する。この実施形態において、駆動機構は当業者によって知られた方法でニップル１５０を介して圧縮空気によって駆動される。取り外し可能な取付部材１３０は物体センサ１６０を含み、上述の何れかの手段でハウジング１１２に取り外し可能に取り付けられる。物体センサ１６０はスタッド、電線、あるいは、隠された他の材料の存在を職人に警告するための光源１６２およびスピーカ１６４をさらに含んでもよい。
【００２６】
図１０Ａ−Ｃを参照すると、手持ちドリルのような動力工具１０はドリルの動力供給端２８に形成された取付部材２３０を備える。本実施形態の取付部材は取り外し可能ではなく、むしろドリルハウジング、特にドリルの動力供給端の一部として形成される。好適な実施形態では、取付部材はツールハウジングの足部２３の一部として形成される。取付部材２３０は溝部２３２を備え、物体センサ６０を摺動可能に収容する。好ましくは、溝部はセンサを単一の方向で摺動可能に収容するように成形され、センサは溝部に適合する形状とされた部分を有する。従って、図１０Ｂに最もよく見られるように、矢印は物体センサを取付部材から取り外したり、取り替えたりする摺動行程の方向を示す。
【００２７】
その結果として、収容状態にある物体センサは取付部材に取り付けられている。職人がセンサを使用したいとき、センサは取付部材から摺動的に取り外され、センサの形態によっては、図１０Ｃに示されるように、センサは開放位置あるいは操作可能位置にされる。開放あるいは操作可能位置において、物体センサは使用可能であり、所望の物体を検知することができる。
【００２８】
図１１Ａ−Ｃは図１０Ａ−Ｃに示されているのと同様な動力工具の実施形態を示す。しかしながら、本実施形態において、図１１Ｄに最もよく見られるように、物体センサ６０は溝部から張り出した舌部６６を有するように形成されている。
【００２９】
図１２Ａ及び１２Ｂはドリルの動力供給端２８に形成された取付部材２３０を備える手持ちドリルのような動力工具１０の他の実施形態を示す。本実施形態の取付部材は取り外し可能ではなく、むしろドリルハウジング、特にドリルの動力供給端の一部として形成されている。取付部材２３０は物体センサを取り外し可能に取り付ける面を備える。好ましくは、本実施形態において、取付部材はセンサの面６８を磁気的に収容する磁性面２３４を備え、センサを取付部材に取り外し可能に取り付ける。図１２Ａは職人が物体センサを取付部材から取り外すところを示し、図１２Ｂは物体センサを取付部材に取り付けるための物体センサの移動方向を示す。
【００３０】
図１３は本願発明の他の実施形態を示す。本実施形態において、取付部材３０は動力供給端でドリルハウジングの一部から取り外し可能である。より詳細には、取付部材はドリルハウジングの足部２３から取り外し可能である。取付部材は摺動配置のような適宜の手段によって足部に取り外し可能に取り付けることができる。
【００３１】
物体センサ６０は取付部材３０に取り外し可能に取り付けられる。図１３に示される実施形態では、取付部材は物体センサを取り外し可能に取り付けるための連結部材３１０を備える。連結部材は物体センサに係合する一対のアーム３１２を備える。物体センサが例えば鉛直方向の上からのように単一の方向から取り外され取り付けられ得るよう、アームが物体センサと係合するのが好ましい。物体センサを係合するときに、滑り嵌め（止まり嵌め）を提供するように、アームは弾力性があってもよい。
【００３２】
代替的に、連結部材には、物体センサ（図示せず）に設けられた補助部分を収容する舌部及び溝係合部材の舌部のような補助係合部材３１４の一部が備えられてもよい。この配設（アレンジメント）では、物体センサは単一の方向から取付部材に係合される。例えば、物体センサは取付部材に設けられた連結部材から摺動的に取り外すために上方に持ち上げられる。
【００３３】
本実施形態の取付部材に設けられ得る好ましい機能は、工具に有用な物体を収容するために用いられるトレイ３００である。例えば、ドリルビット、ねじ（スクリュ）、及び、それらに類似するものがトレイに収容され得る。トレイはトレイ内に置かれる物体をよりよく保持するために磁化されて（磁気を帯びて）いてもよい。あるいは、トレイ内に置かれた物体を保持するために、トレイはカバー（図示せず）で覆われてもよい。
【００３４】
図１４は、本願発明の取り外し可能な物体センサを備えた手持ち工具の他の実施形態を示す。特に、図１４は、物体センサ６０のカバー４００あるいは取付板への再取付、及び、カバーが図５に示されるように引き続いて取付部材に取り付けられる場合におけるカバー４００の移動方向を示す。図１３に示される実施形態と同様に、物体センサは、それ自体が取り外し可能にドリルハウジング、特にドリルハウジングの足部２３に取り付けられている取付部材に取り外し可能に取り付けられる。
【００３５】
図１５、１６、及び、１７は、取付部材がツールハウジングから取り外し可能なバッテリパックを含む、本願発明の異なる実施形態をそれぞれ示す。図１５Ａ及び１５Ｂを参照すると、取付部材は例えば図１に示されるドリルのような動力工具に用いられるバッテリパック２６を含む。物体センサ６０は取付部材と一体的に形成される。使用するためには、センサのセンサ板６９が取付部材から開放位置へ回転あるいは延長され、物体が探し出されると光源６２が照明する。
【００３６】
図１６Ａ及び１６Ｂは、物体センサが取付部材と一体的であり、取付部材がバッテリパックを含む、図１５Ａ及び１５Ｂと同様の配設（アレンジメント）を示す。本実施形態では、センサ板は取付部材と一体である。溝部２７が検知された物体の位置を示す（マークする）ために設けられている。
【００３７】
図１７Ａ及び１７Ｂは、取付部材３０がバッテリパック３０を含む本願発明の実施例を示す。本実施形態では、取付部材は物体センサ６０を取り外し可能に収容するための開口部３２を有する。特に、物体センサは開口部に挿入され、フランジその他のような何れかの周知の方法によって所定の位置に保持される。
【００３８】
このように、本願発明は従来技術に比べ多くの利点及び利益を有する。例えば、本願発明はセンサ及びレベルを職人に容易に利用可能とする手段を提供する。
【００３９】
代替的に、物体センサは電力コード及び／又は圧縮空気ホースに取り付けるように設計されることができる。物体センサは、その表面のいずれかに設けられ、電力コード及び／又は圧縮空気ホースを収容するように寸法取られた谷部（トラフ）を有し得る。しっかりとした取付のため、谷部はコード及び／又はホースより少し小さく寸法取られてもよい。谷部を部分的に覆い、コード及び／又はホースをさらにしっかりと保持するように、突起部（リブ、タング）がトラフを有する表面から突出してもよい。職人が物体センサを使用したいとき、彼はコード及び／又はホースに取り付けられたセンサを使用することもでき、引き離されるまで優しく引っ張ることによって、コード及び／又はホースから物体センサを簡単に取り外すこともできる。使い終わったときは、コード及び／又はホースを谷部に押し込むことによって、職人は物体センサをコード及び／又はホースに再度取り付けることができる。
【００４０】
物体センサはハウジングに取り付けられるＣ形状クランプを用いてコード及び／又はホースに取り付けられてもよい。Ｃ形状クランプがコード及び／又はホースに取り付けられてからそのまわりにしっかりと嵌合するために撓むよう、Ｃ形状クランプは弾性プラスチックあるいは金属から製造される。クランプの他端は物体センサに直接的に取り付けられるか、チェーンあるいは類似のものを用いて物体センサに連結される。同様に、職人は、物体センサがコード及び／又はホースに取り付けられた状態で使用したり、物体センサを優しく引っ張って取り外して使用し、使用後にコード及び／又はホースに再度取り付けることができる。
【００４１】
当業者であれば物体センサをコード及び／又はホースに取り付ける代替的な方法を考え出すであろう。本願発明の実施形態が例示され且つ記述されているが、これらの実施形態は本願発明の全ての可能な形態を例示し記述するものではない。むしろ、本明細書に用いられている用語は限定ではなく説明のための用語であり、本願発明の精神と範囲から逸脱しない範囲で多様な変更がなされ得ることが理解されるべきである。
【図面の簡単な説明】
【００４２】
【図１】図１は、本願発明に従って、一体形の物体センサを含む取り外し可能な取付部材を備えた手持ち動力工具の斜視図である。
【図２】図２は、本願発明に従って、一体形の物体センサを含む取り外し可能な取付部材を備えた手持ち動力工具の断面図である。
【図３】図３は、本願発明に従って、一体形の物体センサ及びレベルを含む取り外し可能な取付部材を備えた手持ち動力工具の斜視図である。
【図４】図４は、本願発明に従って、一体形の物体センサ及びレベルを含む取り外し可能な取付部材を備えた手持ち動力工具の動力源端の斜視図である。
【図５】図５は、本願発明に従って、一体形の物体センサ及びレベルを含む取り外し可能な取付部材を備えた手持ち動力工具の動力源端の斜視図である。
【図６】図６は、本願発明に従って、一片の木材の上に載置された一体形の物体センサ及びレベルを含む取り外し可能な取付部材の斜視図である。
【図７】図７は、本願発明に従って、一体形の物体センサを含む取り外し可能な取付部材の頂部である。
【図８】図８は、目玉（ブルスアイ）レベルを有する手持ち動力工具の斜視図である。
【図９】図９は、本願発明に従って、一体形の物体センサ及び物体センサを含む取り外し可能な取付部材を備え、圧縮空気によって駆動されるレシプロソーの斜視図である。
【図１０】図１０Ａは、ドリルハウジングの足部に形成された取付部材に取り外し可能に取り付けられた物体センサを備えた手持ち動力工具の斜視図である。図１０Ｂは、手持ち動力工具の一部拡大図であり、物体センサをドリルハウジングの足部に形成された取付部材から取り外すように移動させる方向を示す。図１０Ｃは、図１０Ａの手持ち動力工具と共に使用するために開放の作動位置にある物体センサの一実施例である。
【図１１】図１１Ａは、ドリルハウジングの足部に形成された取付部材に取り外し可能に取り付けられた物体センサを有する手持ち動力工具の斜視図である。図１１Ｂは、手持ち動力工具の一部拡大図であり、物体センサをドリルハウジングの足部に形成された取付部材から取り外すように移動させる方向を示す。図１１Ｃは、図１１Ａの手持ち動力工具と共に使用するために開放の作動位置にある物体センサの一実施例である。図１１Ｄは、手持ち動力工具の一部拡大図であり、手持ち動力工具の一部に取り付けられた物体センサを示す。
【図１２】図１２Ａは、ドリルハウジングの足部に形成された取付部材に取り外し可能に取り付けられた物体センサを有する手持ち動力工具の斜視図である。図１２Ｂは、手持ち動力工具の一部拡大図であり、物体センサをドリルハウジングの足部に形成された取付部材から取り外すように移動させる方向を示す。
【図１３】図１３は、ドリルハウジングの足部に係合する取り外し可能な取付部材に取り付けられた取り外し可能な物体センサを有する手持ち動力工具の斜視図である。図は、取付部材の取り外し、それに引き続いての物体センサの取り外し、そして、物体センサの開放位置への開放を示す。
【図１４】図１４は、ドリルハウジングの足部に係合する取り外し可能な取付部材に取り外し可能に取り付けられた物体センサを有する手持ち動力工具の斜視図である。図は、物体センサの取付部材への取り付け、そして、それに引き続いての取付部材のドリルハウジングの一部へ取り付けを示す。
【図１５】図１５Ａは、取り外し可能な取付部材の一部として一体的に形成された物体センサの斜視図であり、取り外し可能な取付部材はドリルハウジングのハンドル部に取り付けられる取り外し可能なバッテリパックである。図１５Ｂは、操作可能位置にある図１５Ａの物体センサの斜視図である。
【図１６】図１６Ａは、取り外し可能な取付部材の一部として一体的に形成された物体センサの斜視図であり、取り外し可能な取付部材はドリルハウジングのハンドル部に取り付けられる取り外し可能なバッテリパックである。図１６Ｂは、操作可能位置にある図１６Ａの物体センサの斜視図である。
【図１７】図１７Ａは、取り外し可能な取付部材に取り付けられた取り外し可能な物体センサの分解図であり、取り外し可能な取付部材はドリルハウジングのハンドル部に取り付けられる取り外し可能なバッテリパックである。図１７Ｂは、取付部材に取り付けられた図１７Ａの取り外し可能な物体センサである。
【図１】
2005509535.tif 000003
【図２】
2005509535.tif 000004
【図３】
2005509535.tif 000005
【図４】
2005509535.tif 000006
【図５】
2005509535.tif 000007
【図６】
2005509535.tif 000008
【図７】
2005509535.tif 000009
【図８】
2005509535.tif 000010
【図９】
2005509535.tif 000011
【図１０Ａ】
2005509535.tif 000012
【図１０Ｂ】
2005509535.tif 000013
【図１０Ｃ】
2005509535.tif 000014
【図１１Ａ】
2005509535.tif 000015
【図１１Ｂ】
2005509535.tif 000016
【図１１Ｃ】
2005509535.tif 000017
【図１１Ｄ】
2005509535.tif 000018
【図１２Ａ】
2005509535.tif 000019
【図１２Ｂ】
2005509535.tif 000020
【図１３】
2005509535.tif 000021
【図１４】
2005509535.tif 000022
【図１５Ａ】
2005509535.tif 000023
【図１５Ｂ】
2005509535.tif 000024
【図１６Ａ】
2005509535.tif 000025
【図１６Ｂ】
2005509535.tif 000026
【図１７Ａ】
2005509535.tif 000027
【図１７Ｂ】
2005509535.tif 000028
【国際調査報告】
2005509535.tif 000029
2005509535.tif 000030